(57)【要約】【課題】本発明は循環的に使用できる加熱パッケージを開示した。【解決手段】パッケージと前記パッケージの中に設けられた上空きチャンバとを含み、前記パッケージの上側には蓋板が設けられ、前記蓋板は前記パッケージの縁にかけられて前記上空きチャンバを密封することができる。本発明は構造が簡単で、使用が便利であり、取り付けブロックを設置することによっていくつかの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避ける。【選択図】図１
2020175944.tif 000002
【特許請求の範囲】
【請求項１】
パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバと連通している反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中にはいつくかの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出できることを特徴とする循環的に使用できる加熱パッケージ。
【請求項２】
前記パッケージの上端面には第一スライド溝が設けられ、前記第一スライド溝の中には第一スライドブロックがスライドできるように設けられ、前記パッケージの中には前記第一スライド溝と連通している第二スライド溝が設けられ、前記第二スライド溝の中には前記第一スライドブロックと固定的に連結されたスライドロッドがスライドできるように設けられ、前記スライドロッドと前記第二スライド溝の左端面との間には第一バネが連結され、前記取り付け溝の底壁には第二バネが固定的に設けられ、
そのほか、前記加熱袋機構は前記取り付けブロックの中に設けられ、且つ左方に開口した固定穴を含み、前記スライドロッドが前記固定穴の中に挿しており、前記挟み溝の後壁には第三スライド溝が設けられ、前記挟み溝の中には前記第三スライド溝にスライドできるように係合された挟みブロックが設けられ、前記挟みブロックと前記挟み溝の頂壁との間には第三バネが連結され、前記加熱袋を前記挟みブロックと前記挟み溝の底壁との間に置き、前記第三バネによって前記加熱袋を強く挟み、前記加熱袋が使い切られた後に、前記第一スライドブロックをスライドさせ、それにより前記スライドロッドを前記固定穴から取り出し、前記取り付けブロックが前記第二バネの作用によって弾き出され、前記取り付けブロックを取り出した後に前記加熱袋を装填すればいいことを特徴とする請求項１に記載の循環的に使用できる加熱パッケージ。
【請求項３】
前記加熱袋プッシュ機構は前記パッケージの中に設けられ、且つ前記取り付け溝と連通しているスライドチャンバを含み、前記スライドチャンバの頂壁には第四スライド溝が設けられ、前記第四スライド溝の中には第二スライドブロックがスライドできるように設けられ、前記第二スライドブロックと前記第四スライド溝の右壁との間には第四バネが連結され、前記プッシュブロックが前記スライドチャンバの中に設けられ、且つ前記第二スライドブロックと固定的に連結され、前記パッケージの中には前記反応チャンバと前記取り付け溝との間に位置している中間チャンバが設けられ、前記中間チャンバの頂壁には第五スライド溝が設けられ、前記第五スライド溝の中には第三スライドブロックがスライドできるように設けられ、前記第三スライドブロックと前記第五スライド溝の右壁との間には第五バネが連結され、前記仕切り板が前記第三スライドブロックの下端面に固定的に連結されることを特徴とする請求項１に記載の循環的に使用できる加熱パッケージ。
【請求項４】
前記加熱袋排出機構は前記パッケージの中に設置されている加熱袋排出穴を含み、前記加熱袋排出穴の一端が前記反応チャンバに連通し、前記加熱袋排出穴のもう一端が外部に連通し、前記加熱袋排出穴の中には密封ブロックがスライドできるように密封し設けられ、前記密封ブロックの左端面には伝動ロッドが固定的に設けられ、前記反応チャンバの底壁には第六スライド溝が設けられ、前記第六スライド溝の中には第四スライドブロックがスライドできるように設けられ、前記第四スライドブロックと前記第六スライド溝の右壁との間には第六バネが連結され、前記第四スライドブロックと前記伝動ロッドとの間が固定ロッドによって連結され、前記パッケージの外周にはハンドルが固定的に設けられ、前記伝動ロッドの一端が前記ハンドルと前記パッケージから囲まれた抜き穴の中まで伸びており、且つ前記伝動ロッドの一端には押し板が固定的に設けられ、前記反応チャンバの中に水を入れた後、前記加熱袋と水とが反応し発熱し、発熱が終わった後、前記反応チャンバの中には反応溶液が残っており、その反応溶液が皮膚に接触するのはよくなく、この時に前記ハンドルを握り、指で前記押し板を押すと、前記伝動ロッドによって前記密封ブロックを押圧して前記加熱袋排出穴を外部に連通させることを特徴とする請求項１に記載の循環的に使用できる加熱パッケージ。
【請求項５】
前記凸ブロックの上端面には環状の定位リングが固定的に設けられ、前記弁当箱の下端面には下方に開口した定位穴が設けられることを特徴とする請求項１に記載の循環的に使用できる加熱パッケージ。
【発明の詳細な説明】
【技術分野】
【０００１】
本発明は加熱パッケージ分野を取り上げて、具体的には循環的に使用できる加熱パッケージである。
【背景技術】
【０００２】
酸化カルシウム袋や他の物質と水との発熱反応によって熱量を出して食品を加熱する技術はすでに幅広く知られており、しかし現有の自己加熱パッケージには一般的に使い捨ての加熱袋だけを有しており、次回に使用する時には他に加熱袋を用意しなければいけなく、また、一般的に加熱袋は人体に対して腐食性を持ち、携帯する途中に漏れて危険を生む可能性があり、以上のデメリットに対し、本装置を提出する。
【先行技術文献】
【特許文献】
【０００３】
【特許文献１】中国特許出願公開第１０９３９８９６５号明細書
【発明の概要】
【発明が解決しようとする課題】
【０００４】
上記技術不足に対して、本発明は循環的に使用できる加熱パッケージを提供し、それは上記の現在の技術中の問題を解決できる。
【課題を解決するための手段】
【０００５】
本発明の循環的に使用できる加熱パッケージは、パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバといる反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中にはいつくかの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出できる。
【０００６】
好ましくは、前記パッケージの上端面には第一スライド溝が設けられ、前記第一スライド溝の中には第一スライドブロックがスライドできるように設けられ、前記パッケージの中には前記第一スライド溝と連通している第二スライド溝が設けられ、前記第二スライド溝の中には前記第一スライドブロックと固定的に連結されたスライドロッドがスライドできるように設けられ、前記スライドロッドと前記第二スライド溝の左端面との間には第一バネが連結され、前記取り付け溝の底壁には第二バネが固定的に設けられる。
【０００７】
そのほか、前記加熱袋機構は前記取り付けブロックの中に設けられ、且つ左方に開口した固定穴を含み、前記スライドロッドが前記固定穴の中に挿しており、前記挟み溝の後壁には第三スライド溝が設けられ、前記挟み溝の中には前記第三スライド溝にスライドできるように係合された挟みブロックが設けられ、前記挟みブロックと前記挟み溝の頂壁との間には第三バネが連結され、前記加熱袋を前記挟みブロックと前記挟み溝の底壁との間に置き、前記第三バネによって前記加熱袋を強く挟み、前記加熱袋が使い切られた後に、前記第一スライドブロックをスライドさせ、それにより前記スライドロッドを前記固定穴から取り出し、前記取り付けブロックが前記第二バネの作用によって弾き出され、前記取り付けブロックを取り出した後に前記加熱袋を装填すればいい。
【０００８】
好ましくは、前記加熱袋プッシュ機構は前記パッケージの中に設けられ、且つ前記取り付け溝と連通しているスライドチャンバを含み、前記スライドチャンバの頂壁には第四スライド溝が設けられ、前記第四スライド溝の中には第二スライドブロックがスライドできるように設けられ、前記第二スライドブロックと前記第四スライド溝の右壁との間には第四バネが連結され、前記プッシュブロックが前記スライドチャンバの中に設けられ、且つ前記第二スライドブロックと固定的に連結され、前記パッケージの中には前記反応チャンバと前記取り付け溝との間に位置している中間チャンバが設けられ、前記中間チャンバの頂壁には第五スライド溝が設けられ、前記第五スライド溝の中には第三スライドブロックがスライドできるように設けられ、前記第三スライドブロックと前記第五スライド溝の右壁との間には第五バネが連結され、前記仕切り板が前記第三スライドブロックの下端面に固定的に連結される。
【０００９】
好ましくは、前記加熱袋排出機構は前記パッケージの中に設置されている加熱袋排出穴を含み、前記加熱袋排出穴の一端が前記反応チャンバに連通し、前記加熱袋排出穴のもう一端が外部に連通し、前記加熱袋排出穴の中には密封ブロックがスライドできるように密封し設けられ、前記密封ブロックの左端面には伝動ロッドが固定的に設けられ、前記反応チャンバの底壁には第六スライド溝が設けられ、前記第六スライド溝の中には第四スライドブロックがスライドできるように設けられ、前記第四スライドブロックと前記第六スライド溝の右壁との間には第六バネが連結され、前記第四スライドブロックと前記伝動ロッドとの間が固定ロッドによって連結され、前記パッケージの外周にはハンドルが固定的に設けられ、前記伝動ロッドの一端が前記ハンドルと前記パッケージから囲まれた抜き穴の中まで伸びており、且つ前記伝動ロッドの一端には押し板が固定的に設けられ、前記反応チャンバの中に水を入れた後、前記加熱袋と水とが反応し発熱し、発熱が終わった後、前記反応チャンバの中には反応溶液が残っており、その反応溶液が皮膚に接触するのはよくなく、この時に前記ハンドルを握り、指で前記押し板を押すと、前記伝動ロッドによって前記密封ブロックを押圧して前記加熱袋排出穴を外部に連通させる。
【００１０】
好ましくは、前記凸ブロックの上端面には環状の定位リングが固定的に設けられ、前記弁当箱の下端面には下方に開口した定位穴が設けられる。
【発明の効果】
【００１１】
本発明は構造が簡単で、使用が便利であり、取り付けブロックを設置することによっていくつかの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【図面の簡単な説明】
【００１２】
以下、図１−６を合わせて本発明について詳しく説明し、また、説明の便利を図るため、下記に記載の上下左右前後方向が図１自身の投影関係の上下左右前後方向と一致することにする。
【００１３】
【図１】図１は本発明の循環的に使用できる加熱パッケージの全体構成略図
【図２】図２は図１のＡ−Ａ  の構成略図
【図３】図３は図１のＢ−Ｂの構成略図
【図４】図４は図１のＣの構成略図
【図５】図５は図１のＤ−Ｄの構成略図
【図６】図６は図１のＥの構成略図
【発明を実施するための形態】
【００１４】
以下、付図及び実施例を合わせて本発明のさらなる説明をし、本発明の実施方式は以下の実施例を含み、しかし本発明の実施方式は以下の実施例に限らないである。
【００１５】
図１−６を参照し、本発明の循環的に使用できる加熱パッケージは、パッケージ１８と前記パッケージ１８の中に設けられた上空きチャンバ１４とを含み、前記パッケージ１８の上側には蓋板１３が設けられ、前記蓋板１３は前記パッケージ１８の縁にかけられて前記上空きチャンバ１４を密封することができ、前記蓋板１３には排気弁１６が設けられ、前記上空きチャンバ１４の底壁には環状の凸ブロック２１が固定的に設けられ、前記凸ブロック２１には弁当箱１２が置かれており、前記弁当箱１２の中には上方に開口した置きチャンバ１５が設けられ、使用する時に加熱したい食べ物を前記置きチャンバ１５の中に置き、前記パッケージ１８の中には前記上空きチャンバ１４の下側に位置しており、且つ前記上空きチャンバ１４と連通している反応チャンバ２９が設けられ、前記反応チャンバ２９の内壁には通気穴１７が設けられ、前記通気穴１７が前記上空きチャンバ１４と前記反応チャンバ２９とを連通し、前記パッケージ１８の内壁には上方に開口しており、且つ前記反応チャンバ２９に連通している取り付け溝３４が設けられ、前記取り付け溝３４の中には加熱袋機構１００が設けられ、前記加熱袋機構１００の中には加熱袋３０と取り付けブロック３３とを含み、前記取り付けブロック３３の中には挟み溝３１が設けられ、前記加熱袋３０が前記挟み溝３１の中に置かれており、前記挟み溝３１の中にはいつくかの前記加熱袋３０を置くことができ、前記パッケージ１８の中には加熱袋プッシュ機構２００が設けられ、前記加熱袋プッシュ機構２００は仕切り板４４とプッシュブロック４１とを含み、前記仕切り板４４が前記反応チャンバ２９と前記取り付け溝３４との間に設けられ、それにより前記取り付け溝３４と前記反応チャンバ２９とを仕切って密封し、前記プッシュブロック４１を押すと、前記プッシュブロック４１が前記加熱袋３０を推し動かし、前記加熱袋３０が前記仕切り板４４を推し動かし、それにより前記反応チャンバ２９と前記取り付け溝３４とを連通し、前記加熱袋３０が前記反応チャンバ２９の中に落ち、この時に水を入れて加熱することができ、前記パッケージ１８には加熱袋排出機構３００が設けられ、前記加熱袋排出機構３００によって反応が終わった後の水溶液を便利で安全に排出できる。
【００１６】
有益的には、前記パッケージ１８の上端面には第一スライド溝５０が設けられ、前記第一スライド溝５０の中には第一スライドブロック５３がスライドできるように設けられ、前記パッケージ１８の中には前記第一スライド溝５０と連通している第二スライド溝５２が設けられ、前記第二スライド溝５２の中には前記第一スライドブロック５３と固定的に連結されたスライドロッド５４がスライドできるように設けられ、前記スライドロッド５４と前記第二スライド溝５２の左端面との間には第一バネ５１が連結され、前記取り付け溝３４の底壁には第二バネ４３が固定的に設けられる。
【００１７】
そのほか、前記加熱袋機構１００は前記取り付けブロック３３の中に設けられ、且つ左方に開口した固定穴３７を含み、前記スライドロッド５４が前記固定穴３７の中に挿しており、前記挟み溝３１の後壁には第三スライド溝３５が設けられ、前記挟み溝３１の中には前記第三スライド溝３５にスライドできるように係合された挟みブロック３２が設けられ、前記挟みブロック３２と前記挟み溝３１の頂壁との間には第三バネ３６が連結され、前記加熱袋３０を前記挟みブロック３２と前記挟み溝３１の底壁との間に置き、前記第三バネ３６によって前記加熱袋３０を強く挟み、前記加熱袋３０が使い切られた後に、前記第一スライドブロック５３をスライドさせ、それにより前記スライドロッド５４を前記固定穴３７から取り出し、前記取り付けブロック３３が前記第二バネ４３の作用によって弾き出され、前記取り付けブロック３３を取り出した後に前記加熱袋３０を装填すればいい。
【００１８】
有益的には、前記加熱袋プッシュ機構２００は前記パッケージ１８の中に設けられ、且つ前記取り付け溝３４と連通しているスライドチャンバ４０を含み、前記スライドチャンバ４０の頂壁には第四スライド溝４９が設けられ、前記第四スライド溝４９の中には第二スライドブロック３９がスライドできるように設けられ、前記第二スライドブロック３９と前記第四スライド溝４９の右壁との間には第四バネ３８が連結され、前記プッシュブロック４１が前記スライドチャンバ４０の中に設けられ、且つ前記第二スライドブロック３９と固定的に連結され、前記パッケージ１８の中には前記反応チャンバ２９と前記取り付け溝３４との間に位置している中間チャンバ４５が設けられ、前記中間チャンバ４５の頂壁には第五スライド溝４６が設けられ、前記第五スライド溝４６の中には第三スライドブロック４８がスライドできるように設けられ、前記第三スライドブロック４８と前記第五スライド溝４６の右壁との間には第五バネ４７が連結され、前記仕切り板４４が前記第三スライドブロック４８の下端面に固定的に連結される。
【００１９】
有益的には、前記加熱袋排出機構３００は前記パッケージ１８の中に設置されている加熱袋排出穴２７を含み、前記加熱袋排出穴２７の一端が前記反応チャンバ２９に連通し、前記加熱袋排出穴２７のもう一端が外部に連通し、前記加熱袋排出穴２７の中には密封ブロック２８がスライドできるように密封し設けられ、前記密封ブロック２８の左端面には伝動ロッド２２が固定的に設けられ、前記反応チャンバ２９の底壁には第六スライド溝２４が設けられ、前記第六スライド溝２４の中には第四スライドブロック２６がスライドできるように設けられ、前記第四スライドブロック２６と前記第六スライド溝２４の右壁との間には第六バネ２３が連結され、前記第四スライドブロック２６と前記伝動ロッド２２との間が固定ロッド２５によって連結され、前記パッケージ１８の外周にはハンドル１１が固定的に設けられ、前記伝動ロッド２２の一端が前記ハンドル１１と前記パッケージ１８から囲まれた抜き穴の中まで伸びており、且つ前記伝動ロッド２２の一端には押し板１０が固定的に設けられ、前記反応チャンバ２９の中に水を入れた後、前記加熱袋３０と水とが反応し発熱し、発熱が終わった後、前記反応チャンバ２９の中には反応溶液が残っており、その反応溶液が皮膚に接触するのはよくなく、この時に前記ハンドル１１を握り、指で前記押し板１０を押すと、前記伝動ロッド２２によって前記密封ブロック２８を押圧して前記加熱袋排出穴２７を外部に連通させる。
【００２０】
有益的には、前記凸ブロック２１の上端面には環状の定位リング２０が固定的に設けられ、前記弁当箱１２の下端面には下方に開口した定位穴１９が設けられる。
【００２１】
以上に説明された循環的に使用できる加熱パッケージの実現方法は、以下のステップを含む：
【００２２】
加熱する時に、反応チャンバ２９の中に水を入れ、食品を置きチャンバ１５の中に入れ、弁当箱１２を凸ブロック２１に置き、定位リング２０を定位穴１９の中に挿し、この時に置くことが終了し、蓋板１３をパッケージ１８にかけ、プッシュブロック４１の長さがスライドチャンバ４０のより短く、間違って接触することを防ぎ、プッシュブロック４１を推し動かし、それにより加熱袋３０を右に押し、加熱袋３０が仕切り板４４を押圧して右に運動させ、加熱袋３０が反応チャンバ２９の中に落ちて水と反応して発熱する。
【００２３】
使用済みの反応溶液を排出する時には、ハンドル１１を握り、指で押し板１０を押すと、伝動ロッド２２により密封ブロック２８を押圧することができ、パッケージを傾斜させ、反応溶液を加熱袋排出穴２７から排出し、溶液と皮膚との接触を避ける。
【００２４】
上記により、本発明は構造が簡単で、使用が便利であり、取り付けブロックを設置することによっていくつかの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【００２５】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175944.tif 000003
【図２】
2020175944.tif 000004
【図３】
2020175944.tif 000005
【図４】
2020175944.tif 000006
【図５】
2020175944.tif 000007
【図６】
2020175944.tif 000008
【手続補正書】
【提出日】令和1年11月6日(2019.11.6)
【手続補正１】
【補正対象書類名】特許請求の範囲
【補正対象項目名】請求項１
【補正方法】変更
【補正の内容】
【請求項１】
パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバと連通している反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中には四つの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出できることを特徴とする循環的に使用できる加熱パッケージ。
【手続補正２】
【補正対象書類名】明細書
【補正対象項目名】全文
【補正方法】変更
【補正の内容】
【発明の詳細な説明】
【技術分野】
【０００１】
本発明は加熱パッケージ分野を取り上げて、具体的には循環的に使用できる加熱パッケージである。
【背景技術】
【０００２】
酸化カルシウム袋や他の物質と水との発熱反応によって熱量を出して食品を加熱する技術はすでに幅広く知られており、しかし現有の自己加熱パッケージには一般的に使い捨ての加熱袋だけを有しており、次回に使用する時には他に加熱袋を用意しなければいけなく、また、一般的に加熱袋は人体に対して腐食性を持ち、携帯する途中に漏れて危険を生む可能性があり、以上のデメリットに対し、本装置を提出する。
【先行技術文献】
【特許文献】
【０００３】
【特許文献１】中国特許出願公開第１０９３９８９６５号明細書
【発明の概要】
【発明が解決しようとする課題】
【０００４】
上記技術不足に対して、本発明は循環的に使用できる加熱パッケージを提供し、それは上記の現在の技術中の問題を解決できる。
【課題を解決するための手段】
【０００５】
本発明の循環的に使用できる加熱パッケージは、パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバといる反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中にはいつくかの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出できる。
【０００６】
好ましくは、前記パッケージの上端面には第一スライド溝が設けられ、前記第一スライド溝の中には第一スライドブロックがスライドできるように設けられ、前記パッケージの中には前記第一スライド溝と連通している第二スライド溝が設けられ、前記第二スライド溝の中には前記第一スライドブロックと固定的に連結されたスライドロッドがスライドできるように設けられ、前記スライドロッドと前記第二スライド溝の左端面との間には第一バネが連結され、前記取り付け溝の底壁には第二バネが固定的に設けられる。
【０００７】
そのほか、前記加熱袋機構は前記取り付けブロックの中に設けられ、且つ左方に開口した固定穴を含み、前記スライドロッドが前記固定穴の中に挿しており、前記挟み溝の後壁には第三スライド溝が設けられ、前記挟み溝の中には前記第三スライド溝にスライドできるように係合された挟みブロックが設けられ、前記挟みブロックと前記挟み溝の頂壁との間には第三バネが連結され、前記加熱袋を前記挟みブロックと前記挟み溝の底壁との間に置き、前記第三バネによって前記加熱袋を強く挟み、前記加熱袋が使い切られた後に、前記第一スライドブロックをスライドさせ、それにより前記スライドロッドを前記固定穴から取り出し、前記取り付けブロックが前記第二バネの作用によって弾き出され、前記取り付けブロックを取り出した後に前記加熱袋を装填すればいい。
【０００８】
好ましくは、前記加熱袋プッシュ機構は前記パッケージの中に設けられ、且つ前記取り付け溝と連通しているスライドチャンバを含み、前記スライドチャンバの頂壁には第四スライド溝が設けられ、前記第四スライド溝の中には第二スライドブロックがスライドできるように設けられ、前記第二スライドブロックと前記第四スライド溝の右壁との間には第四バネが連結され、前記プッシュブロックが前記スライドチャンバの中に設けられ、且つ前記第二スライドブロックと固定的に連結され、前記パッケージの中には前記反応チャンバと前記取り付け溝との間に位置している中間チャンバが設けられ、前記中間チャンバの頂壁には第五スライド溝が設けられ、前記第五スライド溝の中には第三スライドブロックがスライドできるように設けられ、前記第三スライドブロックと前記第五スライド溝の右壁との間には第五バネが連結され、前記仕切り板が前記第三スライドブロックの下端面に固定的に連結される。
【発明の効果】
【０００９】
好ましくは、前記加熱袋排出機構は前記パッケージの中に設置されている加熱袋排出穴を含み、前記加熱袋排出穴の一端が前記反応チャンバに連通し、前記加熱袋排出穴のもう一端が外部に連通し、前記加熱袋排出穴の中には密封ブロックがスライドできるように密封し設けられ、前記密封ブロックの左端面には伝動ロッドが固定的に設けられ、前記反応チャンバの底壁には第六スライド溝が設けられ、前記第六スライド溝の中には第四スライドブロックがスライドできるように設けられ、前記第四スライドブロックと前記第六スライド溝の右壁との間には第六バネが連結され、前記第四スライドブロックと前記伝動ロッドとの間が固定ロッドによって連結され、前記パッケージの外周にはハンドルが固定的に設けられ、前記伝動ロッドの一端が前記ハンドルと前記パッケージから囲まれた抜き穴の中まで伸びており、且つ前記伝動ロッドの一端には押し板が固定的に設けられ、前記反応チャンバの中に水を入れた後、前記加熱袋と水とが反応し発熱し、発熱が終わった後、前記反応チャンバの中には反応溶液が残っており、その反応溶液が皮膚に接触するのはよくなく、この時に前記ハンドルを握り、指で前記押し板を押すと、前記伝動ロッドによって前記密封ブロックを押圧して前記加熱袋排出穴を外部に連通させる。
【００１０】
好ましくは、前記凸ブロックの上端面には環状の定位リングが固定的に設けられ、前記弁当箱の下端面には下方に開口した定位穴が設けられる。
【００１１】
本発明は構造が簡単で、使用が便利であり、取り付けブロックを設置することによって四つの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【図面の簡単な説明】
【００１２】
以下、図１−６を合わせて本発明について詳しく説明し、また、説明の便利を図るため、下記に記載の上下左右前後方向が図１自身の投影関係の上下左右前後方向と一致することにする。
【００１３】
【図１】図１は本発明の循環的に使用できる加熱パッケージの全体構成略図
【図２】図２は図１のＡ−Ａの構成略図
【図３】図３は図１のＢ−Ｂの構成略図
【図４】図４は図１のＣの構成略図
【図５】図５は図１のＤ−Ｄの構成略図
【図６】図６は図１のＥの構成略図。
【発明を実施するための形態】
【００１４】
以下、付図及び実施例を合わせて本発明のさらなる説明をし、本発明の実施方式は以下の実施例を含み、しかし本発明の実施方式は以下の実施例に限らないである。
【００１５】
図１−６を参照し、本発明の循環的に使用できる加熱パッケージは、パッケージ１８と前記パッケージ１８の中に設けられた上空きチャンバ１４とを含み、前記パッケージ１８の上側には蓋板１３が設けられ、前記蓋板１３は前記パッケージ１８の縁にかけられて前記上空きチャンバ１４を密封することができ、前記蓋板１３には排気弁１６が設けられ、前記上空きチャンバ１４の底壁には環状の凸ブロック２１が固定的に設けられ、前記凸ブロック２１には弁当箱１２が置かれており、前記弁当箱１２の中には上方に開口した置きチャンバ１５が設けられ、使用する時に加熱したい食べ物を前記置きチャンバ１５の中に置き、前記パッケージ１８の中には前記上空きチャンバ１４の下側に位置しており、且つ前記上空きチャンバ１４と連通している反応チャンバ２９が設けられ、前記反応チャンバ２９の内壁には通気穴１７が設けられ、前記通気穴１７が前記上空きチャンバ１４と前記反応チャンバ２９とを連通し、前記パッケージ１８の内壁には上方に開口しており、且つ前記反応チャンバ２９に連通している取り付け溝３４が設けられ、前記取り付け溝３４の中には加熱袋機構１００が設けられ、前記加熱袋機構１００の中には加熱袋３０と取り付けブロック３３とを含み、前記取り付けブロック３３の中には挟み溝３１が設けられ、前記加熱袋３０が前記挟み溝３１の中に置かれており、前記挟み溝３１の中にはいつくかの前記加熱袋３０を置くことができ、前記パッケージ１８の中には加熱袋プッシュ機構２００が設けられ、前記加熱袋プッシュ機構２００は仕切り板４４とプッシュブロック４１とを含み、前記仕切り板４４が前記反応チャンバ２９と前記取り付け溝３４との間に設けられ、それにより前記取り付け溝３４と前記反応チャンバ２９とを仕切って密封し、前記プッシュブロック４１を押すと、前記プッシュブロック４１が前記加熱袋３０を推し動かし、前記加熱袋３０が前記仕切り板４４を推し動かし、それにより前記反応チャンバ２９と前記取り付け溝３４とを連通し、前記加熱袋３０が前記反応チャンバ２９の中に落ち、この時に水を入れて加熱することができ、前記パッケージ１８には加熱袋排出機構３００が設けられ、前記加熱袋排出機構３００によって反応が終わった後の水溶液を便利で安全に排出できる。
【００１６】
有益的には、前記パッケージ１８の上端面には第一スライド溝５０が設けられ、前記第一スライド溝５０の中には第一スライドブロック５３がスライドできるように設けられ、前記パッケージ１８の中には前記第一スライド溝５０と連通している第二スライド溝５２が設けられ、前記第二スライド溝５２の中には前記第一スライドブロック５３と固定的に連結されたスライドロッド５４がスライドできるように設けられ、前記スライドロッド５４と前記第二スライド溝５２の左端面との間には第一バネ５１が連結され、前記取り付け溝３４の底壁には第二バネ４３が固定的に設けられる。
【００１７】
そのほか、前記加熱袋機構１００は前記取り付けブロック３３の中に設けられ、且つ左方に開口した固定穴３７を含み、前記スライドロッド５４が前記固定穴３７の中に挿しており、前記挟み溝３１の後壁には第三スライド溝３５が設けられ、前記挟み溝３１の中には前記第三スライド溝３５にスライドできるように係合された挟みブロック３２が設けられ、前記挟みブロック３２と前記挟み溝３１の頂壁との間には第三バネ３６が連結され、前記加熱袋３０を前記挟みブロック３２と前記挟み溝３１の底壁との間に置き、前記第三バネ３６によって前記加熱袋３０を強く挟み、前記加熱袋３０が使い切られた後に、前記第一スライドブロック５３をスライドさせ、それにより前記スライドロッド５４を前記固定穴３７から取り出し、前記取り付けブロック３３が前記第二バネ４３の作用によって弾き出され、前記取り付けブロック３３を取り出した後に前記加熱袋３０を装填すればいい。
【００１８】
有益的には、前記加熱袋プッシュ機構２００は前記パッケージ１８の中に設けられ、且つ前記取り付け溝３４と連通しているスライドチャンバ４０を含み、前記スライドチャンバ４０の頂壁には第四スライド溝４９が設けられ、前記第四スライド溝４９の中には第二スライドブロック３９がスライドできるように設けられ、前記第二スライドブロック３９と前記第四スライド溝４９の右壁との間には第四バネ３８が連結され、前記プッシュブロック４１が前記スライドチャンバ４０の中に設けられ、且つ前記第二スライドブロック３９と固定的に連結され、前記パッケージ１８の中には前記反応チャンバ２９と前記取り付け溝３４との間に位置している中間チャンバ４５が設けられ、前記中間チャンバ４５の頂壁には第五スライド溝４６が設けられ、前記第五スライド溝４６の中には第三スライドブロック４８がスライドできるように設けられ、前記第三スライドブロック４８と前記第五スライド溝４６の右壁との間には第五バネ４７が連結され、前記仕切り板４４が前記第三スライドブロック４８の下端面に固定的に連結される。
【００１９】
有益的には、前記加熱袋排出機構３００は前記パッケージ１８の中に設置されている加熱袋排出穴２７を含み、前記加熱袋排出穴２７の一端が前記反応チャンバ２９に連通し、前記加熱袋排出穴２７のもう一端が外部に連通し、前記加熱袋排出穴２７の中には密封ブロック２８がスライドできるように密封し設けられ、前記密封ブロック２８の左端面には伝動ロッド２２が固定的に設けられ、前記反応チャンバ２９の底壁には第六スライド溝２４が設けられ、前記第六スライド溝２４の中には第四スライドブロック２６がスライドできるように設けられ、前記第四スライドブロック２６と前記第六スライド溝２４の右壁との間には第六バネ２３が連結され、前記第四スライドブロック２６と前記伝動ロッド２２との間が固定ロッド２５によって連結され、前記パッケージ１８の外周にはハンドル１１が固定的に設けられ、前記伝動ロッド２２の一端が前記ハンドル１１と前記パッケージ１８から囲まれた抜き穴の中まで伸びており、且つ前記伝動ロッド２２の一端には押し板１０が固定的に設けられ、前記反応チャンバ２９の中に水を入れた後、前記加熱袋３０と水とが反応し発熱し、発熱が終わった後、前記反応チャンバ２９の中には反応溶液が残っており、その反応溶液が皮膚に接触するのはよくなく、この時に前記ハンドル１１を握り、指で前記押し板１０を押すと、前記伝動ロッド２２によって前記密封ブロック２８を押圧して前記加熱袋排出穴２７を外部に連通させる。
【００２０】
有益的には、前記凸ブロック２１の上端面には環状の定位リング２０が固定的に設けられ、前記弁当箱１２の下端面には下方に開口した定位穴１９が設けられる。
【００２１】
以上に説明された循環的に使用できる加熱パッケージの実現方法は、以下のステップを含む：
【００２２】
加熱する時に、反応チャンバ２９の中に水を入れ、食品を置きチャンバ１５の中に入れ、弁当箱１２を凸ブロック２１に置き、定位リング２０を定位穴１９の中に挿し、この時に置くことが終了し、蓋板１３をパッケージ１８にかけ、プッシュブロック４１の長さがスライドチャンバ４０のより短く、間違って接触することを防ぎ、プッシュブロック４１を推し動かし、それにより加熱袋３０を右に押し、加熱袋３０が仕切り板４４を押圧して右に運動させ、加熱袋３０が反応チャンバ２９の中に落ちて水と反応して発熱する。
【００２３】
使用済みの反応溶液を排出する時には、ハンドル１１を握り、指で押し板１０を押すと、伝動ロッド２２により密封ブロック２８を押圧することができ、パッケージを傾斜させ、反応溶液を加熱袋排出穴２７から排出し、溶液と皮膚との接触を避ける。
【００２４】
上記により、本発明は構造が簡単で、使用が便利であり、取り付けブロックを設置することによって四つの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【００２５】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバと連通している反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中には四つの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出でき、
前記加熱袋排出機構は前記パッケージの中に設置されている加熱袋排出穴を含み、前記加熱袋排出穴の一端が前記反応チャンバに連通し、前記加熱袋排出穴のもう一端が外部に連通し、前記加熱袋排出穴の中には密封ブロックがスライドできるように密封し設けられ、前記密封ブロックの左端面には伝動ロッドが固定的に設けられ、前記反応チャンバの底壁には第六スライド溝が設けられ、前記第六スライド溝の中には第四スライドブロックがスライドできるように設けられ、前記第四スライドブロックと前記第六スライド溝の右壁との間には第六バネが連結され、前記第四スライドブロックと前記伝動ロッドとの間が固定ロッドによって連結され、前記パッケージの外周にはハンドルが固定的に設けられ、前記伝動ロッドの一端が前記ハンドルと前記パッケージから囲まれた抜き穴の中まで伸びており、且つ前記伝動ロッドの一端には押し板が固定的に設けられ、前記反応チャンバの中に水を入れた後、前記加熱袋と水とが反応し発熱し、発熱が終わった後、前記反応チャンバの中には反応溶液が残っており、その反応溶液が皮膚に接触するのはよくなく、この時に前記ハンドルを握り、指で前記押し板を押すと、前記伝動ロッドによって前記密封ブロックを押圧して前記加熱袋排出穴を外部に連通させることを特徴とする循環的に使用できる加熱パッケージ。
【請求項２】
前記パッケージの上端面には第一スライド溝が設けられ、前記第一スライド溝の中には第一スライドブロックがスライドできるように設けられ、前記パッケージの中には前記第一スライド溝と連通している第二スライド溝が設けられ、前記第二スライド溝の中には前記第一スライドブロックと固定的に連結されたスライドロッドがスライドできるように設けられ、前記スライドロッドと前記第二スライド溝の左端面との間には第一バネが連結され、前記取り付け溝の底壁には第二バネが固定的に設けられ、
そのほか、前記加熱袋機構は前記取り付けブロックの中に設けられ、且つ左方に開口した固定穴を含み、前記スライドロッドが前記固定穴の中に挿しており、前記挟み溝の後壁には第三スライド溝が設けられ、前記挟み溝の中には前記第三スライド溝にスライドできるように係合された挟みブロックが設けられ、前記挟みブロックと前記挟み溝の頂壁との間には第三バネが連結され、前記加熱袋を前記挟みブロックと前記挟み溝の底壁との間に置き、前記第三バネによって前記加熱袋を強く挟み、前記加熱袋が使い切られた後に、前記第一スライドブロックをスライドさせ、それにより前記スライドロッドを前記固定穴から取り出し、前記取り付けブロックが前記第二バネの作用によって弾き出され、前記取り付けブロックを取り出した後に前記加熱袋を装填すればいいことを特徴とする請求項１に記載の循環的に使用できる加熱パッケージ。
【請求項３】
前記加熱袋プッシュ機構は前記パッケージの中に設けられ、且つ前記取り付け溝と連通しているスライドチャンバを含み、前記スライドチャンバの頂壁には第四スライド溝が設けられ、前記第四スライド溝の中には第二スライドブロックがスライドできるように設けられ、前記第二スライドブロックと前記第四スライド溝の右壁との間には第四バネが連結され、前記プッシュブロックが前記スライドチャンバの中に設けられ、且つ前記第二スライドブロックと固定的に連結され、前記パッケージの中には前記反応チャンバと前記取り付け溝との間に位置している中間チャンバが設けられ、前記中間チャンバの頂壁には第五スライド溝が設けられ、前記第五スライド溝の中には第三スライドブロックがスライドできるように設けられ、前記第三スライドブロックと前記第五スライド溝の右壁との間には第五バネが連結され、前記仕切り板が前記第三スライドブロックの下端面に固定的に連結されることを特徴とする請求項１に記載の循環的に使用できる加熱パッケージ。
【請求項４】
前記凸ブロックの上端面には環状の定位リングが固定的に設けられ、前記弁当箱の下端面には下方に開口した定位穴が設けられることを特徴とする請求項１に記載の循環的に使用できる加熱パッケージ。
【手続補正２】
【補正対象書類名】明細書
【補正対象項目名】全文
【補正方法】変更
【補正の内容】
【発明の詳細な説明】
【技術分野】
【０００１】
本発明は加熱パッケージ分野を取り上げて、具体的には循環的に使用できる加熱パッケージである。
【背景技術】
【０００２】
酸化カルシウム袋や他の物質と水との発熱反応によって熱量を出して食品を加熱する技術はすでに幅広く知られており、しかし現有の自己加熱パッケージには一般的に使い捨ての加熱袋だけを有しており、次回に使用する時には他に加熱袋を用意しなければいけなく、また、一般的に加熱袋は人体に対して腐食性を持ち、携帯する途中に漏れて危険を生む可能性があり、以上のデメリットに対し、本装置を提出する。
【先行技術文献】
【特許文献】
【０００３】
【特許文献１】中国特許出願公開第１０９３９８９６５号明細書
【発明の概要】
【発明が解決しようとする課題】
【０００４】
上記技術不足に対して、本発明は循環的に使用できる加熱パッケージを提供し、それは上記の現在の技術中の問題を解決できる。
【課題を解決するための手段】
【０００５】
本発明の循環的に使用できる加熱パッケージは、パッケージと前記パッケージの中に設けられた上空きチャンバとを含み、前記パッケージの上側には蓋板が設けられ、前記蓋板は前記パッケージの縁にかけられて前記上空きチャンバを密封することができ、前記蓋板には排気弁が設けられ、前記上空きチャンバの底壁には環状の凸ブロックが固定的に設けられ、前記凸ブロックには弁当箱が置かれており、前記弁当箱の中には上方に開口した置きチャンバが設けられ、使用する時に加熱したい食べ物を前記置きチャンバの中に置き、前記パッケージの中には前記上空きチャンバの下側に位置しており、且つ前記上空きチャンバといる反応チャンバが設けられ、前記反応チャンバの内壁には通気穴が設けられ、前記通気穴が前記上空きチャンバと前記反応チャンバとを連通し、前記パッケージの内壁には上方に開口しており、且つ前記反応チャンバに連通している取り付け溝が設けられ、前記取り付け溝の中には加熱袋機構が設けられ、前記加熱袋機構の中には加熱袋と取り付けブロックとを含み、前記取り付けブロックの中には挟み溝が設けられ、前記加熱袋が前記挟み溝の中に置かれており、前記挟み溝の中にはいつくかの前記加熱袋を置くことができ、前記パッケージの中には加熱袋プッシュ機構が設けられ、前記加熱袋プッシュ機構は仕切り板とプッシュブロックとを含み、前記仕切り板が前記反応チャンバと前記取り付け溝との間に設けられ、それにより前記取り付け溝と前記反応チャンバとを仕切って密封し、前記プッシュブロックを押すと、前記プッシュブロックが前記加熱袋を推し動かし、前記加熱袋が前記仕切り板を推し動かし、それにより前記反応チャンバと前記取り付け溝とを連通し、前記加熱袋が前記反応チャンバの中に落ち、この時に水を入れて加熱することができ、前記パッケージには加熱袋排出機構が設けられ、前記加熱袋排出機構によって反応が終わった後の水溶液を便利で安全に排出できる。
【０００６】
好ましくは、前記パッケージの上端面には第一スライド溝が設けられ、前記第一スライド溝の中には第一スライドブロックがスライドできるように設けられ、前記パッケージの中には前記第一スライド溝と連通している第二スライド溝が設けられ、前記第二スライド溝の中には前記第一スライドブロックと固定的に連結されたスライドロッドがスライドできるように設けられ、前記スライドロッドと前記第二スライド溝の左端面との間には第一バネが連結され、前記取り付け溝の底壁には第二バネが固定的に設けられる。
【０００７】
そのほか、前記加熱袋機構は前記取り付けブロックの中に設けられ、且つ左方に開口した固定穴を含み、前記スライドロッドが前記固定穴の中に挿しており、前記挟み溝の後壁には第三スライド溝が設けられ、前記挟み溝の中には前記第三スライド溝にスライドできるように係合された挟みブロックが設けられ、前記挟みブロックと前記挟み溝の頂壁との間には第三バネが連結され、前記加熱袋を前記挟みブロックと前記挟み溝の底壁との間に置き、前記第三バネによって前記加熱袋を強く挟み、前記加熱袋が使い切られた後に、前記第一スライドブロックをスライドさせ、それにより前記スライドロッドを前記固定穴から取り出し、前記取り付けブロックが前記第二バネの作用によって弾き出され、前記取り付けブロックを取り出した後に前記加熱袋を装填すればいい。
【０００８】
好ましくは、前記加熱袋プッシュ機構は前記パッケージの中に設けられ、且つ前記取り付け溝と連通しているスライドチャンバを含み、前記スライドチャンバの頂壁には第四スライド溝が設けられ、前記第四スライド溝の中には第二スライドブロックがスライドできるように設けられ、前記第二スライドブロックと前記第四スライド溝の右壁との間には第四バネが連結され、前記プッシュブロックが前記スライドチャンバの中に設けられ、且つ前記第二スライドブロックと固定的に連結され、前記パッケージの中には前記反応チャンバと前記取り付け溝との間に位置している中間チャンバが設けられ、前記中間チャンバの頂壁には第五スライド溝が設けられ、前記第五スライド溝の中には第三スライドブロックがスライドできるように設けられ、前記第三スライドブロックと前記第五スライド溝の右壁との間には第五バネが連結され、前記仕切り板が前記第三スライドブロックの下端面に固定的に連結される。
【発明の効果】
【０００９】
好ましくは、前記加熱袋排出機構は前記パッケージの中に設置されている加熱袋排出穴を含み、前記加熱袋排出穴の一端が前記反応チャンバに連通し、前記加熱袋排出穴のもう一端が外部に連通し、前記加熱袋排出穴の中には密封ブロックがスライドできるように密封し設けられ、前記密封ブロックの左端面には伝動ロッドが固定的に設けられ、前記反応チャンバの底壁には第六スライド溝が設けられ、前記第六スライド溝の中には第四スライドブロックがスライドできるように設けられ、前記第四スライドブロックと前記第六スライド溝の右壁との間には第六バネが連結され、前記第四スライドブロックと前記伝動ロッドとの間が固定ロッドによって連結され、前記パッケージの外周にはハンドルが固定的に設けられ、前記伝動ロッドの一端が前記ハンドルと前記パッケージから囲まれた抜き穴の中まで伸びており、且つ前記伝動ロッドの一端には押し板が固定的に設けられ、前記反応チャンバの中に水を入れた後、前記加熱袋と水とが反応し発熱し、発熱が終わった後、前記反応チャンバの中には反応溶液が残っており、その反応溶液が皮膚に接触するのはよくなく、この時に前記ハンドルを握り、指で前記押し板を押すと、前記伝動ロッドによって前記密封ブロックを押圧して前記加熱袋排出穴を外部に連通させる。
【００１０】
好ましくは、前記凸ブロックの上端面には環状の定位リングが固定的に設けられ、前記弁当箱の下端面には下方に開口した定位穴が設けられる。
【００１１】
本発明は構造が簡単で、使用が便利であり、取り付けブロックを設置することによって四つの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【図面の簡単な説明】
【００１２】
以下、図１−６を合わせて本発明について詳しく説明し、また、説明の便利を図るため、下記に記載の上下左右前後方向が図１自身の投影関係の上下左右前後方向と一致することにする。
【００１３】
【図１】図１は本発明の循環的に使用できる加熱パッケージの全体構成略図
【図２】図２は図１のＡ−Ａの構成略図
【図３】図３は図１のＢ−Ｂの構成略図
【図４】図４は図１のＣの構成略図
【図５】図５は図１のＤ−Ｄの構成略図
【図６】図６は図１のＥの構成略図。
【発明を実施するための形態】
【００１４】
以下、付図及び実施例を合わせて本発明のさらなる説明をし、本発明の実施方式は以下の実施例を含み、しかし本発明の実施方式は以下の実施例に限らないである。
【００１５】
図１−６を参照し、本発明の循環的に使用できる加熱パッケージは、パッケージ１８と前記パッケージ１８の中に設けられた上空きチャンバ１４とを含み、前記パッケージ１８の上側には蓋板１３が設けられ、前記蓋板１３は前記パッケージ１８の縁にかけられて前記上空きチャンバ１４を密封することができ、前記蓋板１３には排気弁１６が設けられ、前記上空きチャンバ１４の底壁には環状の凸ブロック２１が固定的に設けられ、前記凸ブロック２１には弁当箱１２が置かれており、前記弁当箱１２の中には上方に開口した置きチャンバ１５が設けられ、使用する時に加熱したい食べ物を前記置きチャンバ１５の中に置き、前記パッケージ１８の中には前記上空きチャンバ１４の下側に位置しており、且つ前記上空きチャンバ１４と連通している反応チャンバ２９が設けられ、前記反応チャンバ２９の内壁には通気穴１７が設けられ、前記通気穴１７が前記上空きチャンバ１４と前記反応チャンバ２９とを連通し、前記パッケージ１８の内壁には上方に開口しており、且つ前記反応チャンバ２９に連通している取り付け溝３４が設けられ、前記取り付け溝３４の中には加熱袋機構１００が設けられ、前記加熱袋機構１００の中には加熱袋３０と取り付けブロック３３とを含み、前記取り付けブロック３３の中には挟み溝３１が設けられ、前記加熱袋３０が前記挟み溝３１の中に置かれており、前記挟み溝３１の中にはいつくかの前記加熱袋３０を置くことができ、前記パッケージ１８の中には加熱袋プッシュ機構２００が設けられ、前記加熱袋プッシュ機構２００は仕切り板４４とプッシュブロック４１とを含み、前記仕切り板４４が前記反応チャンバ２９と前記取り付け溝３４との間に設けられ、それにより前記取り付け溝３４と前記反応チャンバ２９とを仕切って密封し、前記プッシュブロック４１を押すと、前記プッシュブロック４１が前記加熱袋３０を推し動かし、前記加熱袋３０が前記仕切り板４４を推し動かし、それにより前記反応チャンバ２９と前記取り付け溝３４とを連通し、前記加熱袋３０が前記反応チャンバ２９の中に落ち、この時に水を入れて加熱することができ、前記パッケージ１８には加熱袋排出機構３００が設けられ、前記加熱袋排出機構３００によって反応が終わった後の水溶液を便利で安全に排出できる。
【００１６】
有益的には、前記パッケージ１８の上端面には第一スライド溝５０が設けられ、前記第一スライド溝５０の中には第一スライドブロック５３がスライドできるように設けられ、前記パッケージ１８の中には前記第一スライド溝５０と連通している第二スライド溝５２が設けられ、前記第二スライド溝５２の中には前記第一スライドブロック５３と固定的に連結されたスライドロッド５４がスライドできるように設けられ、前記スライドロッド５４と前記第二スライド溝５２の左端面との間には第一バネ５１が連結され、前記取り付け溝３４の底壁には第二バネ４３が固定的に設けられる。
【００１７】
そのほか、前記加熱袋機構１００は前記取り付けブロック３３の中に設けられ、且つ左方に開口した固定穴３７を含み、前記スライドロッド５４が前記固定穴３７の中に挿しており、前記挟み溝３１の後壁には第三スライド溝３５が設けられ、前記挟み溝３１の中には前記第三スライド溝３５にスライドできるように係合された挟みブロック３２が設けられ、前記挟みブロック３２と前記挟み溝３１の頂壁との間には第三バネ３６が連結され、前記加熱袋３０を前記挟みブロック３２と前記挟み溝３１の底壁との間に置き、前記第三バネ３６によって前記加熱袋３０を強く挟み、前記加熱袋３０が使い切られた後に、前記第一スライドブロック５３をスライドさせ、それにより前記スライドロッド５４を前記固定穴３７から取り出し、前記取り付けブロック３３が前記第二バネ４３の作用によって弾き出され、前記取り付けブロック３３を取り出した後に前記加熱袋３０を装填すればいい。
【００１８】
有益的には、前記加熱袋プッシュ機構２００は前記パッケージ１８の中に設けられ、且つ前記取り付け溝３４と連通しているスライドチャンバ４０を含み、前記スライドチャンバ４０の頂壁には第四スライド溝４９が設けられ、前記第四スライド溝４９の中には第二スライドブロック３９がスライドできるように設けられ、前記第二スライドブロック３９と前記第四スライド溝４９の右壁との間には第四バネ３８が連結され、前記プッシュブロック４１が前記スライドチャンバ４０の中に設けられ、且つ前記第二スライドブロック３９と固定的に連結され、前記パッケージ１８の中には前記反応チャンバ２９と前記取り付け溝３４との間に位置している中間チャンバ４５が設けられ、前記中間チャンバ４５の頂壁には第五スライド溝４６が設けられ、前記第五スライド溝４６の中には第三スライドブロック４８がスライドできるように設けられ、前記第三スライドブロック４８と前記第五スライド溝４６の右壁との間には第五バネ４７が連結され、前記仕切り板４４が前記第三スライドブロック４８の下端面に固定的に連結される。
【００１９】
有益的には、前記加熱袋排出機構３００は前記パッケージ１８の中に設置されている加熱袋排出穴２７を含み、前記加熱袋排出穴２７の一端が前記反応チャンバ２９に連通し、前記加熱袋排出穴２７のもう一端が外部に連通し、前記加熱袋排出穴２７の中には密封ブロック２８がスライドできるように密封し設けられ、前記密封ブロック２８の左端面には伝動ロッド２２が固定的に設けられ、前記反応チャンバ２９の底壁には第六スライド溝２４が設けられ、前記第六スライド溝２４の中には第四スライドブロック２６がスライドできるように設けられ、前記第四スライドブロック２６と前記第六スライド溝２４の右壁との間には第六バネ２３が連結され、前記第四スライドブロック２６と前記伝動ロッド２２との間が固定ロッド２５によって連結され、前記パッケージ１８の外周にはハンドル１１が固定的に設けられ、前記伝動ロッド２２の一端が前記ハンドル１１と前記パッケージ１８から囲まれた抜き穴の中まで伸びており、且つ前記伝動ロッド２２の一端には押し板１０が固定的に設けられ、前記反応チャンバ２９の中に水を入れた後、前記加熱袋３０と水とが反応し発熱し、発熱が終わった後、前記反応チャンバ２９の中には反応溶液が残っており、その反応溶液が皮膚に接触するのはよくなく、この時に前記ハンドル１１を握り、指で前記押し板１０を押すと、前記伝動ロッド２２によって前記密封ブロック２８を押圧して前記加熱袋排出穴２７を外部に連通させる。
【００２０】
有益的には、前記凸ブロック２１の上端面には環状の定位リング２０が固定的に設けられ、前記弁当箱１２の下端面には下方に開口した定位穴１９が設けられる。
【００２１】
以上に説明された循環的に使用できる加熱パッケージの実現方法は、以下のステップを含む：
【００２２】
加熱する時に、反応チャンバ２９の中に水を入れ、食品を置きチャンバ１５の中に入れ、弁当箱１２を凸ブロック２１に置き、定位リング２０を定位穴１９の中に挿し、この時に置くことが終了し、蓋板１３をパッケージ１８にかけ、プッシュブロック４１の長さがスライドチャンバ４０のより短く、間違って接触することを防ぎ、プッシュブロック４１を推し動かし、それにより加熱袋３０を右に押し、加熱袋３０が仕切り板４４を押圧して右に運動させ、加熱袋３０が反応チャンバ２９の中に落ちて水と反応して発熱する。
【００２３】
使用済みの反応溶液を排出する時には、ハンドル１１を握り、指で押し板１０を押すと、伝動ロッド２２により密封ブロック２８を押圧することができ、パッケージを傾斜させ、反応溶液を加熱袋排出穴２７から排出し、溶液と皮膚との接触を避ける。
【００２４】
上記により、本発明は構造が簡単で、使用が便利であり、取り付けブロックを設置することによって四つの加熱袋を本発明に置くことができ、加熱袋を一回使用した後、また使用する必要になった時に次の加熱袋を指定された位置にプッシュして反応させ、残りの加熱袋が使われない時に本発明の中に貯蔵され、持ち歩く時に危険が生じることを避け、また、本発明は反応溶液を排出する時に茶をつぐ動作をまね、溶液を排出する時に溶液が皮膚に飛び散るという伝統的な自己加熱パッケージのデメリットを解決し、自己加熱パッケージの実用性を大きく高める。
【００２５】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。